(57)【要約】 【課題】  基板における配設スペースを小さくする。【解決手段】  基板５０に取り付けられるハウジング３１には、複数本の端子金具３２が高さ方向及び幅方向に沿って並んで設けられている。各端子金具３２は、基板５０に設けられた孔部５１内に挿入されて各孔部５１に対応する導電路５２に対して電気的に接続される基板接続部３２ｂを備えている。端子金具３２は、大電流用端子金具３２Ａと小電流用端子金具３２Ｂとの２種類用意されている。大電流用端子金具３２Ａは、ハウジング３１のうち、各孔部５１のうち幅方向の端側に配される孔部５１（大電流用孔部５１Ａ）に挿入されてその孔部５１から引き出された導電路５２（大電流用導電路５２Ａ）に接続されるような位置に配設されている。【選択図】  図７
2005332761.tif 000002
【特許請求の範囲】
【請求項１】
基板に取り付けられるコネクタハウジングには、複数本の端子金具が高さ方向及び幅方向に沿って並んで設けられ、各端子金具は、一方の端部が前記基板に設けられた各孔部内に挿入されて各孔部に対応する導電路に対して電気的に接続されるようになっており、且つ前記端子金具が小電流用端子金具と大電流用端子金具との少なくとも２種類用意されたものであって、
前記大電流用端子金具は、前記各孔部のうち幅方向の端側に配される孔部に挿入されるような位置に配設されていることを特徴とする基板用コネクタ。
【請求項２】
前記コネクタハウジングには、相手コネクタハウジングが嵌合可能とされ、この相手コネクタハウジングには、前記各端子金具における他方の端部に対して接続される相手端子金具を収容するキャビティが複数設けられ、このうち前記大電流用端子金具に対応する前記相手端子金具を収容するキャビティが幅方向に隣り合って配されるとともに、この大電流用端子金具に対応する相手端子金具に対してそれぞれ接触することでこれら相手端子金具間を短絡可能なショート端子を収容するショート端子収容室が複数設けられており、
前記各ショート端子収容室は、幅方向の端側に配され、且つ高さ方向に沿って並んで配されていることを特徴とする請求項１記載の基板用コネクタ。
【発明の詳細な説明】
【技術分野】
【０００１】
本発明は、基板用コネクタに関する。
【背景技術】
【０００２】
従来、基板に取り付けられる基板用コネクタの一例として下記特許文献１に記載されたものが知られている。このものは、基板上に取り付けられるハウジングに複数本の端子金具が装着された構成とされ、端子金具の下端部が基板に形成した孔部内に挿入されるとともに半田付けされることで、基板上にプリントされた対応する導電路に対して電気的に接続されるようになっている。
【０００３】
このような基板用コネクタにおいて、端子金具として比較的大きな電流が流される大電流用端子金具と、比較的小さな電流が流される小電流用端子金具との２種類のものが混在する場合がある。その場合、大電流用端子金具に対応する導電路は、小電流用端子金具に対応する導電路よりも太い幅とされる。
【特許文献１】特開平９−１５３３８６号公報
【発明の開示】
【発明が解決しようとする課題】
【０００４】
上記したようないわゆるハイブリッドタイプの基板用コネクタにおいて、大電流用端子金具を横並びに配置すると、図１０（Ａ）に示すように、大電流用端子金具に対応した導電路１を幅方向に並んだ孔部２間を通したり、図１０（Ｂ）に示すように、大電流用端子金具に対応した導電路１間に他の導電路３を通す必要が生じる。このため、結果として各孔部２間のピッチを幅方向について広く確保しなければならなくなり、基板４における基板用コネクタの配設スペースが大型化してしまう問題があった。
本発明は上記のような事情に基づいて完成されたものであって、基板における配設スペースを小さくすることを目的とする。
【課題を解決するための手段】
【０００５】
上記の目的を達成するための手段として、請求項１の発明は、基板に取り付けられるコネクタハウジングには、複数本の端子金具が高さ方向及び幅方向に沿って並んで設けられ、各端子金具は、一方の端部が前記基板に設けられた各孔部内に挿入されて各孔部に対応する導電路に対して電気的に接続されるようになっており、且つ前記端子金具が小電流用端子金具と大電流用端子金具との少なくとも２種類用意されたものであって、前記大電流用端子金具は、前記各孔部のうち幅方向の端側に配される孔部に挿入されるような位置に配設されている構成としたところに特徴を有する。
【０００６】
請求項２の発明は、請求項１に記載のものにおいて、前記コネクタハウジングには、相手コネクタハウジングが嵌合可能とされ、この相手コネクタハウジングには、前記各端子金具における他方の端部に対して接続される相手端子金具を収容するキャビティが複数設けられ、このうち前記大電流用端子金具に対応する前記相手端子金具を収容するキャビティが幅方向に隣り合って配されるとともに、この大電流用端子金具に対応する相手端子金具に対してそれぞれ接触することでこれら相手端子金具間を短絡可能なショート端子を収容するショート端子収容室が複数設けられており、前記各ショート端子収容室は、幅方向の端側に配され、且つ高さ方向に沿って並んで配されているところに特徴を有する。
【発明の効果】
【０００７】
＜請求項１の発明＞
大電流用端子金具が挿入される孔部に対応する導電路は、小電流用端子金具が挿入される孔部に対応する導電路よりも太い幅となる。この大電流用端子金具が幅方向の端側に配される孔部に挿入される配置とされているから、大電流用端子金具に接続される導電路が他の孔部間を通ったり、大電流用端子金具に接続される導電路間に他の導電路が通るのを極力避けることができる。これにより、各孔部間のピッチを狭く保つことができ、もって基板における配設スペースを小さくすることができる。
【０００８】
＜請求項２の発明＞
大電流用端子金具に対応する相手端子金具間を短絡するショート端子を収容するショート端子収容室は、相手端子金具を収容するキャビティよりも開口幅が広くなっている。このショート端子収容室が幅方向に沿って並ぶことがないので、相手コネクタハウジングの強度を高く保つことができる。
【発明を実施するための最良の形態】
【０００９】
＜実施形態＞
本発明の一実施形態を図１ないし図９によって説明する。本実施形態では、自動車のエアバッグ回路を構成する基板用コネクタ３０を例示する。この基板用コネクタ３０は、基板５０に対して図示しない保持手段（ねじなど）によって取付状態に保持されるとともに、相手コネクタ１０と嵌合可能とされている。なお、以下では両コネクタ１０，３０における嵌合面側を前方とし、また高さ方向の上下については図１や図３を基準とする。
【００１０】
先に相手コネクタ１０について説明する。相手コネクタ１０は、いわゆる雌型のコネクタであり、図１、図３及び図４に示すように、合成樹脂製の相手コネクタハウジング１１（以下、単に相手ハウジング１１という）と、相手ハウジング１１内に収容される複数本（２０本）の雌型の相手端子金具１２と、相手端子金具１２に係止可能なリテーナ１３と、所定の相手端子金具１２間を短絡可能な複数本（４本）のショート端子１４と、両コネクタ１０，３０の嵌合状態を検知するための検知回路を構成する検知用ショート端子１５とから構成されている。
【００１１】
相手ハウジング１１は、略ブロック状に形成され、内部には、後方から相手端子金具１２を挿入可能なキャビティ１６が複数室（２０室）、高さ方向及び幅方向に並んで設けられている。キャビティ１６は、相手ハウジング１１のうち下側部分において、上下２段、幅方向に８室ずつ並んで配されるとともに、相手ハウジング１１のうち上側部分において、両端位置に幅方向に２室ずつ並んで配されている。言い換えると、キャビティ１６は、相手ハウジング１１のうち幅方向両端部分において上下３段に２室ずつ幅方向に並んで配されるとともに、相手ハウジング１１のうち幅方向中央部分において上下２段に４室ずつ並んで配されている。各キャビティ１６内の前半部分における下面側には、挿入される相手端子金具１２に対して弾性的に係止可能なランス１７が設けられている。相手端子金具１２は、略箱型をなすとともに端子金具３２と接続可能な本体部１２ａと、電線Ｗの端末に接続されるバレル部１２ｂとを前後に繋げた構成とされている。本体部１２ａの下面側には、ランス１７が進入可能な凹部１２ｃが形成されるとともにその前縁にはランス１７が係止可能な係止突部１２ｄが下方へ叩き出して設けられている。なお本体部１２ａ内には、端子金具３２に対して弾性接触可能な弾性接触片（図示せず）が設けられている。また相手ハウジング１１の上面幅方向略中央には、両コネクタ１０，３０を正規に嵌合したときに両コネクタ１０，３０を保持可能な片持ち状のロックアーム１８が設けられている。
【００１２】
相手ハウジング１１における下面側には、下方から相手端子金具１２を抜け止めするためのリテーナ１３を取付可能なリテーナ取付孔１９が開口して設けられている。リテーナ取付孔１９は、相手ハウジング１１におけるランス１７よりも後側に配設されるとともに、各キャビティ１６に連通する形態とされる。リテーナ１３は、各キャビティ１６に連通可能な連通孔１３ａを有することで全体が略格子状に形成されている。各連通孔１３ａの周縁部のうち下側部分は、相手端子金具１２のうち本体部１２ａの後端に形成された段部１２ｅに対して係止可能な係止部１３ｂとされている。このリテーナ１３は、各連通孔１３ａが各キャビティ１６に整合するとともに相手端子金具１２の挿抜を許容する仮係止位置（図５）と、各係止部１３ｂがキャビティ１６側へ進出して相手端子金具１２に係止する本係止位置（図３及び図４）との２位置間を上下に移動可能とされる。
【００１３】
リテーナ１３の両側端部における前端と後端には、図６（Ａ）に示すように、それぞれ仮係止位置用保持アーム１３ｃと本係止位置用保持アーム１３ｄとが設けられるのに対し、リテーナ取付孔１９の両側端部における前端と後端には、仮係止位置用保持部１９ａと本係止位置用保持部１９ｂとが設けられている。このうち、仮係止位置用保持アーム１３ｃが仮係止位置用保持部１９ａに係止することでリテーナ１３が仮係止位置から抜け止め状態に保持される一方、図６（Ｂ）に示すように、本係止位置用保持アーム１３ｄが本係止位置用保持部１９ｂに係止することでリテーナ１３が本係止位置から抜け止め状態に保持される。
【００１４】
各キャビティ１６のうち、幅方向両端側に配されるものであって、最上段に配された一対ずつのキャビティ１６と、その下側の一対ずつのキャビティ１６との上側（ランス１７とは反対側、リテーナ１３の取付方向奥側）には、図１及び図４に示すように、ショート端子１４を収容可能なショート端子収容室２０がそれぞれ設けられている。つまり、ショート端子収容室２０は、相手ハウジング１１における幅方向の両端に配されるとともに、高さ方向に沿って並んで配されており、幅方向に沿って並ぶことがない配置とされている。ショート端子収容室２０は、キャビティ１６の２室分に相当する開口幅を有するとともに、下側の両キャビティ１６に連通して形成されている。ショート端子１４は、一対の接触片１４ａを有しており、両接触片１４ａが下側の両キャビティ１６内に進入するとともにそこに挿入される相手端子金具１２に対して弾性接触可能とされ、これにより両相手端子金具１２を短絡して両相手端子金具１２間の電位差を０に保つことが可能とされる。このようにショート端子１４により短絡される相手端子金具１２は、エアバッグの起爆回路を構成していて、他の回路を構成する相手端子金具１２や検知用ショート端子１５と比較して大きな電流が流されるようになっている。これらショート端子１４により短絡されるものが大電流用相手端子金具１２Ａとされ、その他の相手端子金具１２が小電流用相手端子金具１２Ｂとされる。なお、相手端子金具１２、端子金具３２、孔部５１及び導電路５２に関して、大電流用のものには符号に添え字Ａを付し、小電流用のものには符号に添え字Ｂを付するものとし、区別せずに総称するときは添え字を付さないものとする。
【００１５】
相手ハウジング１１のうち上側部分の幅方向略中央（最上段の両キャビティ１６対の間の位置、ロックアーム１８の下方位置）には、図１及び図３に示すように、後方から検知用ショート端子１５を収容可能な検知用ショート端子収容室２１が設けられている。検知用ショート端子１５は、検知用ショート端子収容室２１の底面に沿う基部の前端部から片持ち状をなす弾性片１５ａが一対設けられており、これら両弾性片１５ａは、後端部がロックアーム１８により押圧されることで、ロックアーム１８に連動して弾性変形可能とされている。また検知用ショート端子１５に流される電流は、小電流用相手端子金具１２Ｂとほぼ同じに設定されている。
【００１６】
次に基板用コネクタ３０について説明する。基板用コネクタ３０は、いわゆる雄型のコネクタであって、図２ないし図４に示すように、合成樹脂製のコネクタハウジング３１（以下、単にハウジング３１という）と、ハウジング３１に装着される複数本（２０本）の端子金具３２と、検知回路を構成する一対の検知端子３３とから構成されている。
【００１７】
ハウジング３１は、端子金具３２を保持する端子保持部３４と、端子保持部３４の周縁から前方へ向けて突出する略角筒状のフード部３５とから構成されている。端子保持部３４には、端子金具３２を挿入可能な端子挿入孔３６が複数（２０個）、高さ方向及び幅方向に並んで設けられている。端子挿入孔３６は、相手コネクタ１０側のキャビティ１６と対応する位置に配されており、詳細には端子保持部３４のうち下側部分において、上下２段、幅方向に８つずつ並んで配されるとともに、端子保持部３４のうち上側部分において、両端位置に幅方向に２つずつ並んで配されている。一方、フード部３５内には、前方から相手ハウジング１１が嵌合可能とされている。フード部３５のうち上部における幅方向略中央には、相手ハウジング１１のロックアーム１８が係止可能な被ロック部３７が内方へ突出して設けられている。
【００１８】
端子金具３２は、金属製の板材を略Ｌ字型に屈曲させた形状とされ、そのうち水平部分におけるフード部３５内に突出する部分（前端部）が相手端子金具１２と接続されるコネクタ接続部３２ａとされるのに対し、垂直部分における基板５０の孔部５１内に挿入される部分（下端部）が基板接続部３２ｂとされる。基板接続部３２ｂは、孔部５１内に挿入された状態で半田付けされることで基板５０の表面にプリントされた導電路５２に対して電気的に接続される。なお、各端子金具３２の基板接続部３２ｂは、下段側のものが前側の孔部５１に、上段側のものが後側の孔部５１に挿入される設定とされる。
【００１９】
端子保持部３４のうち、相手ハウジング１１の各ショート端子収容室２０に対応する位置には、４本の短絡解除部３８が前方へ突出して設けられている。短絡解除部３８は、両コネクタ１０，３０を嵌合する過程でショート端子１４の接触片１４ａに対して係合するとともに接触片１４ａを相手端子金具１２から離間するよう弾性変形させることが可能とされる。また端子保持部３４のうち、相手ハウジング１１の検知用ショート端子収容室２１に対応する位置には、検知端子３３を挿入可能な検知端子挿入孔３９が一対、幅方向に並んで設けられている。両検知端子３３は、端子金具３２と同様の構造をなし、コネクタ接続部３３ａと基板接続部３３ｂとを有している。両検知端子３３は、両コネクタ１０，３０を嵌合すると、相手ハウジング１１の検知用ショート端子１５の両弾性片１５ａに対して接触されるとともにこの検知用ショート端子１５によって互いに短絡されるようになっている。また端子保持部３４のうち両検知端子挿入孔３９の上側には、両検知端子３３のコネクタ接続部３３ａを支持可能な支持部４０が前方へ突出して設けられている。
【００２０】
さて、端子金具３２のうち、ショート端子１４により短絡される大電流用相手端子金具１２Ａに対して接続される端子金具３２は、エアバッグの起爆回路を構成しており、他の端子金具３２と比較して大きな電流が流されるようになっている。つまり、ショート端子１４に短絡される大電流用相手端子金具１２Ａに対応する端子金具３２が大電流用端子金具３２Ａとされるのに対し、その他の端子金具３２が小電流用端子金具３２Ｂとされる。そして、大電流用端子金具３２Ａは、幅方向に沿って２本並んだ状態でハウジング３１における幅方向の端側に配されるとともに、その基板接続部３２ｂが基板５０における幅方向の端側に配された孔部５１に挿入されてその孔部５１に対応する導電路５２に対して電気的に接続されるようになっている。つまり、大電流用端子金具３２Ａは、ハウジング３１のうち、端側の孔部５１から引き出される導電路５２に接続されるような位置に装着されている。大電流用端子金具３２Ａの配置を改めて説明すると、大電流用端子金具３２Ａは、ハウジング３１のうち最上段で且つ幅方向両端の２つずつの端子挿入孔３６と、その下段側の２つずつの端子挿入孔３６とに挿入される配置とされており、計８本備えられている。
【００２１】
続いて、基板５０における孔部５１及び導電路５２の配置について詳細に説明する。基板５０には、図７に示すように、ハウジング３１に装着される各端子金具３２及び各検知端子３３の各基板接続部３２ｂ，３３ｂに対応した位置にそれぞれ孔部５１が貫通して設けられている。孔部５１は、前後２段、幅方向に８個ずつ並んで設けられるとともに、幅方向両端の２つの孔部５１の後側に２つずつ、また幅方向中央の２つの孔部５１の後側に２つ（検知端子３３に対応したもの）設けられており、計２２個配されている。導電路５２は、各孔部５１から個別に後方へ向けて引き出されており、このうち大電流用端子金具３２Ａに対応する大電流用孔部５１Ａから引き出されたものが大電流用導電路５２Ａとされるのに対し、それ以外の小電流用端子金具３２Ｂや検知端子３３に対応する小電流用孔部５１Ｂから引き出されたものが小電流用導電路５２Ｂとされている。大電流用導電路５２Ａは、流される電流の値に比例して小電流用導電路５２Ｂよりも幅が大きくなっている。以下、基板５０上における各導電路５２の配索経路について詳しく説明する。
【００２２】
最も後側に配された孔部５１からの導電路５２は、後方へ向けてほぼ真っ直ぐに引き出されている。これに対し、それよりも前側に配された孔部５１からの導電路５２は、他の導電路５２と重ならないよう以下のように途中で一旦屈曲されている。詳しくは、幅方向の両端に位置する孔部５１からの導電路５２は、幅方向に沿って外側へ引き出されてから後方へ向けて引き出されるのに対し、端の孔部５１に対して幅方向について隣りに位置する孔部５１からの導電路５２は、斜め後方に引き出されてから前後に並ぶ孔部５１の間を通るよう幅方向に沿って外側へ引き出された後、後方へ向けて引き出されている。一方、上記各孔部５１よりも内側に配された孔部５１からの導電路５２（小電流用導電路５２Ｂ）は、斜め後方へ引き出されてから幅方向に並ぶ孔部５１の間を通るよう後方へ向けて引き出されている。
【００２３】
上記したように幅方向に並んだ各孔部５１の間には、小電流用導電路５２Ｂのみが通過するような配置とされており、大電流用導電路５２Ａは、幅方向に並んだ孔部５１の間を通ることがなく、また幅方向に並んだ大電流用導電路５２Ａの間に他の導電路５２が通ることもない。従って、幅方向について各孔部５１間のピッチを極力小さくすることができ、もって基板５０における基板用コネクタ３０の配設スペースを小さく保つことができる。なお本実施形態に示す導電路５２の経路は一例であり、その他にも適宜に変更することが可能である。
【００２４】
本実施形態は以上のような構造であり、続いてその作用を説明する。相手コネクタ１０の組み付けにあたっては、図５に示すように、リテーナ１３を仮係止位置に装着した状態で、各相手端子金具１２を対応するキャビティ１６内へ挿入すると、ランス１７により抜け止めされる。その後、リテーナ１３を本係止位置へ押し込むと、図３及び図４に示すように、リテーナ１３の各係止部１３ｂが相手端子金具１２に係止して二重で抜け止めされる。その一方で、ショート端子１４をショート端子収容室２０内へ、検知用ショート端子１５を検知用ショート端子収容室２１内へそれぞれ収容しておく。この状態では、ショート端子１４の両接触片１４ａが下方の両キャビティ１６内に進入して両大電流用相手端子金具１２Ａに接触することで、両大電流用相手端子金具１２Ａ間が短絡される。
【００２５】
一方、基板用コネクタ３０は、ハウジング３１の各端子収容孔内に対応する端子金具３２を、各検知端子挿入孔３９内に検知端子３３をそれぞれ挿入して組み付けられる。その後、基板用コネクタ３０を基板５０上に載置すると、各端子金具３２及び各検知端子３３の基板接続部３２ｂ，３３ｂが対応する各孔部５１内に挿入される。その状態で半田付けを行って各基板接続部３２ｂ，３３ｂを各導電路５２に対して電気的に接続するとともに、図示しない保持手段により基板用コネクタ３０を基板５０に対して固定する。
【００２６】
続いて両コネクタ１０，３０の嵌合作業を説明する。ハウジング３１のフード部３５内に相手ハウジング１１を嵌合すると、まず支持部４０と共に両検知端子３３のコネクタ接続部３３ａが検知用ショート端子収容室２１内に進入する。両検知端子３３が検知用ショート端子１５の両弾性片１５ａに接触する手前の段階で、ロックアーム１８が被ロック部３７によって押し下げられるとともにそのロックアーム１８により検知用ショート端子１５の両弾性片１５ａが押し下げられて両検知端子３３とは非接触の姿勢に保たれる。この嵌合過程では、各短絡解除部３８が各ショート端子収容室２０内に進入するとともに各ショート端子１４の接触片１４ａに係合してこれを端子金具３２から離間させつつ上方へ弾性変形させる。これにより、幅方向について隣り合う両大電流用相手端子金具１２Ａ間の短絡状態が解除される。
【００２７】
そして、両コネクタ１０，３０が正規深さまで嵌合されると、図８及び図９に示すように、端子金具３２に対して相手端子金具１２が正規に接続されるとともに、ロックアーム１８が弾性復元して被ロック部３７に対して係止されることで両コネクタ１０，３０が嵌合状態から離脱不能に保持される。このロックアーム１８の復元に伴って、検知用ショート端子１５の両弾性片１５ａも復元するとともに両検知端子３３に対して接触することで、検知回路が閉じられ、もって両コネクタ１０，３０が正規嵌合に達したことを電気的に検知することができる。
【００２８】
以上説明したように本実施形態によれば、大電流用端子金具３２Ａが各孔部５１のうち幅方向の端側に配される孔部５１（大電流用孔部５１Ａ）に挿入されるような位置にて幅方向に２本並んで配されているから、大電流用端子金具３２Ａに接続される大電流用導電路５２Ａが前後に並ぶ孔部５１間を通ったり、大電流用導電路５２Ａ間に他の導電路５２が通るのを極力避けることができる。これにより、各孔部５１間のピッチを極力狭く保つことができ、もって基板５０における幅方向についての配設スペースを小さくすることができる。
【００２９】
しかも、キャビティ１６よりも開口幅が広いショート端子収容室２０が幅方向の端側に配され、且つ高さ方向に沿って並んで配されており、幅方向に沿って並ぶことがないから、相手ハウジング１１の強度を高く保つことができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）大電流用端子金具（ショート端子や大電流用相手端子金具）の配置については、要はハウジングにおける幅方向の端側に配されていればよいので、適宜に変更することが可能である。またその本数についても任意に変更可能である。また大電流用端子金具が幅方向について２本並ぶ形態のもの以外にも、３本以上並ぶものや１本だけのものも本発明に含まれる。なお小電流用端子金具の本数についても任意に変更可能である。
【００３１】
（２）基板用コネクタ側にショート端子を設けるようにしてもよい。また検知端子及び検知用ショート端子については省略することもできる。
（３）上記した実施形態では、各端子金具が基板に対して半田付けされるものを示したが、基板接続部が孔部に対して圧入されることで導電路に接続されるいわゆるプレスフィットタイプのものにも本発明は適用可能である。
（４）上記した実施形態では、流される電流の大きさが異なる２種類の端子金具を有するものを例示したが、３種類以上の端子金具を有するものについても本発明は適用可能である。
【図面の簡単な説明】
【００３２】
【図１】本発明の一実施形態に係る相手ハウジングの正面図
【図２】ハウジングの正面図
【図３】両ハウジングを嵌合する前の状態を示す図１及び図２のＸ−Ｘ線断面図
【図４】両ハウジングを嵌合する前の状態を示す図１及び図２のＹ−Ｙ線断面図
【図５】リテーナを仮係止位置に装着した状態を示す図１のＹ−Ｙ線断面図
【図６】（Ａ）リテーナを仮係止位置に装着した状態における保持構造を示す要部断面図  （Ｂ）リテーナを本係止位置に装着した状態における保持構造を示す要部断面図
【図７】基板の平面図
【図８】両ハウジングを嵌合した状態を示す図１及び図２のＸ−Ｘ線断面図
【図９】両ハウジングを嵌合した状態を示す図１及び図２のＹ−Ｙ線断面図
【図１０】（Ａ）基板の平面図  （Ｂ）基板の平面図
【符号の説明】
【００３３】
１１…相手ハウジング
１２…相手端子金具
１２Ａ…大電流用相手端子金具（大電流用端子金具に対応する相手端子金具）
１４…ショート端子
１６…キャビティ
２０…ショート端子収容室
３０…基板用コネクタ
３１…ハウジング
３２…端子金具
３２Ａ…大電流用端子金具
３２Ｂ…小電流用端子金具
３２ａ…コネクタ接続部（他方の端部）
３２ｂ…基板接続部（一方の端部）
５０…基板
５１…孔部
５２…導電路
【図１】
2005332761.tif 000003
【図２】
2005332761.tif 000004
【図３】
2005332761.tif 000005
【図４】
2005332761.tif 000006
【図５】
2005332761.tif 000007
【図６】
2005332761.tif 000008
【図７】
2005332761.tif 000009
【図８】
2005332761.tif 000010
【図９】
2005332761.tif 000011
【図１０】
2005332761.tif 000012